(57)【要約】  ショックアブソーバー流体としての使用に好適な潤滑流体が開示される。潤滑流体は、潤滑流体の重量を基準として、少なくとも４０重量％のＧＴＬ基油を含み、５０〜１０００の範囲の粘度指数、及び−３０℃未満の流動点を有する。【特許請求の範囲】
【請求項１】
潤滑流体であって、
（ａ）前記潤滑流体の重量を基準として、少なくとも４０重量％のＧＴＬ基油と、
（ｂ）前記潤滑流体の重量を基準として、５〜２５重量％のアルキルベンゼンまたはアルキルナフタレンと、
（ｃ）前記潤滑流体の重量を基準として、０．１〜２０重量％の粘度指数改善剤と、を含み、
前記潤滑流体が、５０〜１０００の範囲の粘度指数、及び
−３０℃未満の流動点を有する、潤滑流体。
【請求項２】
５０〜９０重量％の範囲でＧＴＬ基油を含む、請求項１に記載の潤滑流体。
【請求項３】
線状及び／または分岐状アルキル基を有する一または二置換された５〜２５重量％のアルキルベンゼンの混合物を含み、前記アルキル基がＣ６〜Ｃ２０アルキル基である、請求項１または請求項２に記載の潤滑流体。
【請求項４】
前記粘度指数改善剤が、メタクリレート、ブタジエン、オレフィン、またはアルキル化スチレンのポリマー及びコポリマーから選択される、請求項１〜３のいずれか１項に記載の潤滑流体。
【請求項５】
金属含有または金属非含有アルキルチオホスフェートを前記潤滑流体の約０．４重量％〜約１．４重量％の量で含む、請求項１〜４のいずれか１項に記載の潤滑流体。
【請求項６】
アクリルコポリマーまたは脂肪アミンエトキシレートを前記潤滑流体の重量を基準として、０．１重量％未満の量で含む、請求項１〜５のいずれか１項に記載の潤滑流体。
【請求項７】
ショックアブソーバーにおける請求項１〜６のいずれか１項に記載の潤滑流体の使用。
【請求項８】
請求項７に記載のショックアブソーバーを含む車両。
【発明の詳細な説明】
【技術分野】
【０００１】
本発明は、ショックアブソーバー流体として好適に使用される潤滑流体に関する。本発明は更に、ショックアブソーバーにおける潤滑流体の使用に関する。
【背景技術】
【０００２】
ショックアブソーバー（時にダンパーとも称される）は、突発的な衝撃インパルスを平滑化または減衰させ、運動エネルギーを消散させるように設計された機械的装置である。ショックアブソーバーは、自動車、バイクまたは自転車のサスペンション、航空機の着陸ギア、列車のサスペンション、及び多くの産業機械用の支持体の重要な部分である。大きなショックアブソーバーは建築及び土木工学にも使用されて、構造の地震被害及び共鳴に対する感受性を軽減する。
【０００３】
ショックアブソーバーは、運動エネルギーを、その後に消散され得る熱エネルギーに変換する。油圧ショックアブソーバーは、内部に摺動ピストンを有するシリンダで構成されている。シリンダはショックアブソーバー流体で満たされている。この流体で満たされたピストン／シリンダの組み合わせは、ダッシュポットとも称される。車両においては、ホイールサスペンションは通常、コイルバネ、板バネ、またはトーションバーなどの圧力弾性手段と大抵組み合わされたいくつかのショックアブソーバーを含有する。これらのバネは、バネがエネルギーを貯蔵だけして消散または吸収しないので、ショックアブソーバーではない。ホイールを水平方向に動かすと、バネは上下の力を吸収し、これを熱に変換する。ショックアブソーバーは、例えばホイールのタイヤにおけるヒステリシスと共に、バネ下重量の上下の動きを抑制し、それによってホイールバウンスを効果的に減衰させる。これは、内部バルブなどの狭いオリフィスを通るショックアブソーバー流体の流れによる流体摩擦によって、運動エネルギーを熱に変換することによって達成される。
【０００４】
ＷＯ２０１０６３７５２は、高い生物学的分解性、及び特に低温で粘度改善剤との高い適合性を有するショックアブソーバー流体として使用され得る流体を開示している。その流体は、基油組成物及び粘度指数改善剤を含む。その基油組成物は、ＧＴＬ基油及びポリヒドロキシ化合物のエステルを含む。
【０００５】
本発明者は、有利な特性、例えば、商業的に入手可能なショックアブソーバー流体より良好な長期剪断安定性及び／またはより良好な低温粘度特性を有するショックアブソーバー流体としての使用に好適な潤滑流体を提供しようとしてきた。
【発明の概要】
【０００６】
本発明者は、ショックアブソーバー流体としての使用に好適な潤滑流体が、ＧＴＬ基油、アルキルベンゼンまたはアルキルナフタレン、及び粘度改質剤の有利な組み合わせから調製され得ることを見出した。そのような組み合わせは、良好な剪断安定性及び良好な低温粘度を示す。
【０００７】
したがって、本発明は、潤滑流体であって、
（ａ）前記潤滑流体の重量を基準として、少なくとも４０重量％のＧＴＬ基油と、
（ｂ）前記潤滑流体の重量を基準として、５〜２５重量％のアルキルベンゼンまたはアルキルナフタレンと、
（ｃ）前記潤滑流体の重量を基準として、０．１〜２０重量％の粘度指数改善剤と、を含み、
潤滑流体が、５０〜１０００の範囲の粘度指数、及び−３０℃未満の流動点を有する、潤滑流体を提供する。
【０００８】
潤滑流体は、ショックアブソーバー流体として使用するのに好適であるが、フォーク油として、または作動流体もしくはベアリング及び循環油などの工業用潤滑剤として使用することもできる。
【０００９】
本発明は更に、ショックアブソーバーにおける本発明による潤滑流体の使用を提供する。
【００１０】
本発明はまた更に、本発明による潤滑流体を含む車両を提供する。
【発明を実施するための形態】
【００１１】
潤滑流体は、潤滑流体の重量を基準として、少なくとも４０重量％のＧＴＬ基油を含む。潤滑流体は、好ましくは、潤滑流体の重量を基準として、５０〜９０重量％、より好ましくは６０〜８５重量％の範囲のＧＴＬ基油を含む。
【００１２】
「ＧＴＬ基油」という用語は、天然ガスを液体燃料に変換するフィッシャー・トロプシュ法によって合成される基油を記載するために使用される。それらは、原油から精製される鉱油基油と比較して非常に低い硫黄含有量及び芳香族含有量を有し、非常に高いパラフィン組成比を有する。ＧＴＬ基油は、異なる粘度を有するいくつかの異なるＧＴＬ基油の混合物であり得る。好ましくは、１００℃でのＧＴＬ基油の動粘度は、２〜１０ｍｍ２／ｓの範囲、より好ましくは２．５〜７ｍｍ２／ｓの範囲である。動粘度は、ＡＳＴＭ  Ｄ４４５によって好適に決定される。「ＧＴＬ４」及び「ＧＴＬ３」で知られている好適な基油は、Ｓｈｅｌｌから入手可能である。
【００１３】
潤滑流体は、潤滑流体の重量を基準として、５〜２５重量％のアルキルベンゼンまたはアルキルナフタレンを含む。好適には、アルキルベンゼンまたはアルキルナフタレンは、異なるアルキルベンゼン分子及び／またはアルキルナフタレン分子の混合物である。アルキルベンゼン及び／またはアルキルナフタレンは、一または多置換されていてもよいが、好ましくは一または二置換されている。好ましい実施形態では、潤滑流体は、線状及び／または分岐状アルキル基で一または二置換された５〜２５重量％のアルキルベンゼンの混合物を含み、そのアルキル基が、Ｃ６〜Ｃ２０アルキル基、好ましくはＣ９〜Ｃ１５アルキル基である。アルキルベンゼンまたはアルキルナフタレンの４０℃での動粘度（ＡＳＴＭ  Ｄ４４５によって好適に測定される）は、好適には３〜４００ｍｍ２／ｓ、好ましくは３〜５０ｍｍ２／ｓ、より好ましくは３〜１０ｍｍ２／ｓである。平均相対分子量は、好適には１８０〜３００、好ましくは２００〜２８０、より好ましくは２３０〜２６０である。
【００１４】
潤滑流体は、潤滑流体の重量を基準として、０．１〜２０重量％の粘度指数改善剤を含む。潤滑流体は、好ましくは１〜１８重量％、より好ましくは３〜１０重量％の粘度指数改善剤を含む。
【００１５】
粘度指数改善剤（ＶＩ改善剤、粘度改質剤、または粘度改善剤としても知られている）は、潤滑剤に高温及び低温操作性を提供する。これらの添加剤は、上昇した温度及び低い温度で剪断安定性及び許容可能粘度を付与する。好適な粘度指数改善剤には、低分子量及び高分子量の炭化水素の両方、ポリエステル、及び粘度指数改善剤及び分散剤の両方として機能し得る粘度指数改善剤分散剤が含まれる。これらのポリマーの典型的な分子量は、約１０，０００〜１，０００，０００、より典型的には約２０，０００〜５００，０００、更により典型的には約５０，０００〜２００，０００である。好適な粘度指数改善剤の例は、メタクリレート、ブタジエン、オレフィン、またはアルキル化スチレンのポリマー及びコポリマーである。
【００１６】
好ましくは、粘度指数改善剤は、ポリメチルメタクリレート（更にＰＭＭＡとも称される）、すなわち、様々な鎖長のメチル及びアルキルメタクリレートのコポリマーである。特に好ましいＰＭＭＡ粘度指数改善剤は、商業的に入手可能なＶｉｓｃｏｐｌｅｘ粘度改善剤である（Ｖｉｓｃｏｐｌｅｘは、
【数１】
2019516847.tif 000002
）である。
【００１７】
潤滑流体は、ショックアブソーバー流体に典型的に使用される１種以上の添加剤を好適に更に含む。これらの添加剤は、添加剤パッケージの形態で添加され得る。典型的な添加剤パッケージには、酸化抑制剤及び耐磨耗剤が含まれるが、分散剤、洗剤、腐食及び錆抑制剤、金属不活性化剤、極圧添加剤、抗発作剤、流動点降下剤、ワックス改質剤、封止適合剤、摩擦改質剤、潤滑剤、抗染色剤、色素剤、抗発泡剤、及び解乳化剤も含まれ得る。
【００１８】
潤滑流体は好ましくは耐摩耗添加剤を含む。好適な耐摩耗添加剤には、潤滑流体の約０．４重量％〜約１．４重量％の量で典型的に使用される亜鉛ジアルキルジチオホスフェートなどの金属含有及び金属非含有アルキルチオホスフェートが含まれる。
【００１９】
潤滑流体は好ましくは抗発泡剤を含む。シリコーン及び有機ポリマーは典型的な抗発泡剤である。好ましくは、抗発泡剤は、アクリルコポリマーまたは脂肪アミンエトキシレートなどの低ケイ素または無ケイ素抗発泡である。抗発泡剤の量は、潤滑流体の重量を基準として、好適には１重量％未満、好ましくは０．１重量％未満、より好ましくは０．０５重量％未満である。
【００２０】
潤滑流体は、５０〜１０００の範囲、好ましくは１００〜６００の範囲の粘度指数を有する。好適には、粘度指数は、ＡＳＴＭ  Ｄ２２７２に従って決定される。粘度指数が低すぎると、潤滑流体は低温で粘性が高すぎる可能性が高く、高温では粘度が低すぎる可能性が高く、次いで潤滑流体はショックアブソーバーにおいて効果的に機能しなくなる。
【００２１】
潤滑流体は、−３０℃未満、好ましくは−４５℃未満の流動点を有する。好適には、流動点はＡＳＴＭ  Ｄ９７に従って決定される。潤滑流体がより高い流動点を有する場合、次いで流体は低温周囲条件では流れず、流体を含有するショックアブソーバーは機能しないであろう。
【００２２】
潤滑流体は好適には、４０℃で少なくとも７ｍｍ２／ｓ、好ましくは少なくとも１０ｍｍ２／ｓ、より好ましくは少なくとも１２ｍｍ２／ｓの動粘度を有する。好適には、４０℃での動粘度はＡＳＴＭ  Ｄ４４５に従って測定される。そのような粘度を有することは、潤滑流体がショックアブソーバーにおいて効果的に機能すべき場合に重要である。
【００２３】
潤滑流体は好適には、−４０℃で２０００ｃＰ未満、より好ましくは１５００ｃＰ未満、最も好ましくは１２５０ｃＰ未満のブルックフィールド粘度を有する。好適には、−４０℃でのブルックフィールド粘度は、ＡＳＴＭ  Ｄ２９８３によって決定される。そのような粘度を有することは、潤滑流体がショックアブソーバーにおいて効果的に機能すべき場合に重要である。
【００２４】
潤滑流体は好適には、ＣＥＣ  Ｌ−４５−９９に従って測定して４０℃で１０％未満、より好ましくは５％未満、最も好ましくは３％未満の剪断安定性を有する。ショックアブソーバーで用いられる場合、潤滑流体が最長のあり得る期間での効率的な動作のための正しい粘度範囲を有するように、潤滑流体は最高のあり得る剪断安定性（及び試験条件下での最低のあり得る剪断安定性の損失）を有することが重要である。潤滑組成物が不十分な剪断安定性を有する場合、経時的に剪断され、粘度はすぐに必要な範囲外になる。
【００２５】
本発明を以下の実施例を参照して以下に説明するが、本発明の範囲を限定することは何ら意図されていない。
【実施例】
【００２６】
表１に示される配合を有するショックアブソーバー流体（実施例１）を調製した。
【表１】
2019516847.tif 000003
【００２７】
両方のＧＴＬ基油はＳｈｅｌｌから入手可能である。ＧＴＬ４基油は、１００℃で３．８０〜４．２０ｃＳｔの粘度（ＡＳＴＭ  Ｄ４４５によって測定される）を有していた。ＧＴＬ３基油は、１００℃で２．８ｃＳｔの粘度（ＡＳＴＭ  Ｄ４４５によって測定される）を有していた。アルキルベンゼンは、４０℃で３〜５ｍｍ２／ｓの動粘度を有する一置換アルキルベンゼンの混合物であった。均質な混合物が生じるまで、成分の全てを混合し、加熱することによって流体を調製した。
【００２８】
試験
実施例１のショックアブソーバー流体及び２種の商業用ショックアブソーバー流体（比較例１及び比較例２）を試験した。表２は、試験された特性、使用された試験方法、ならびに実施例１、比較例１、及び比較例２の結果を示している。
【表２】
2019516847.tif 000004
【００２９】
結果は、３つのショックアブソーバー流体は全て同様の密度、４０℃及び１００℃での粘度、ならびに粘度指数を示していた。本発明のショックアブソーバー流体（実施例１）は、商業用のショックアブソーバー流体（比較例１及び比較例２）と比較して改善したブルックフィールド粘度を有し、より良好な剪断安定性も有していた。
【国際調査報告】
2019516847.tif 000005
2019516847.tif 000006
2019516847.tif 000007